(57)【特許請求の範囲】
【請求項１】
サンプルされたデジタルオーディオ情報を、一連の一様な大きさのブロックに区分された線形な物理的マッピング空間上にマッピングする方法であって、
前記オーディオ情報をサンプルするステップと、
前記サンプルされたオーディオ情報を可変レートで符号化するステップと、
前記符号化されたオーディオ情報を、連続した一様でない大きさのオーディオ単位に配列するステップであって、各オーディオ単位が所定の期間の再生のためのオーディオデータを含むようなステップと、
前記ブロックの各々に、当該ブロックにおける前記オーディオ単位に関する情報を含むようなブロックヘッダを追加するステップと、
を有するような方法において、
１つのブロック内に１以上のオーディオパケットをはめ込むように、前記オーディオ単位を前記ブロックの大きさ以下の大きさを持つ連続した一様でない大きさのオーディオパケットに分割するステップと、
前記オーディオパケットを前記ブロックにわたって分散させ、ブロックにおいては前記ブロックヘッダに当該ブロック内の各オーディオパケットの大きさに関する情報が含まれるようにするステップと、
前記ブロックの各々における前記ブロックヘッダにおいて、当該ブロック内に少なくとも１つのオーディオ単位の開始点が存在するか又はオーディオ単位の開始点が存在しないかに関しての当該ブロックの実際の内容を示すステップと、
を有することを特徴とする方法。
【請求項２】
前記ブロックヘッダにおいて、当該ブロック内にオーディオ単位の開始点が存在することを、論理標識“non_audio_unit_start”により示すことを特徴とする請求項１に記載の方法。
【請求項３】
前記ブロックヘッダにおいて、当該ブロックにおけるオーディオ単位の開始点の数を示すことを特徴とする請求項１に記載の方法。
【請求項４】
前記ブロックヘッダにおいて、オーディオパケットにおけるオーディオ単位の開始点の存在を論理標識“packet_audio_unit_start”により示すことを特徴とする請求項２又は請求項３に記載の方法。
【請求項５】
前記ブロックの何れかにおけるブロックヘッダにおいて、次に続くオーディオ単位の開始点を含むブロックを指し示すことを特徴とする請求項１に記載の方法。
【請求項６】
前記ブロックの何れかにおけるブロックヘッダにおいて、各オーディオ単位に関して対応するデータ型式を示すことを特徴とする請求項１に記載の方法。
【請求項７】
前記ブロックヘッダが特定のオーディオ単位の開始点の情報を含む場合に、該ブロックヘッダにおいて前記特定のオーディオ単位の時間コードを特定することを特徴とする請求項１に記載の方法。
【請求項８】
前記ブロックにわたって補足データ単位及び／又は詰め物単位を分散させることを特徴とする請求項１に記載の方法。
【請求項９】
前記マッピング空間が光学的に読み取り可能なディスクの線形な物理的記憶空間であることを特徴とする請求項１に記載の方法。
【請求項１０】
一連の一様な大きさのブロックに区分されたデジタルオーディオ信号が記憶された記憶媒体であって、前記デジタルオーディオ信号が連続した一様でない大きさのオーディオ単位に配列された可変レートで符号化されたオーディオ情報を表し、各オーディオ単位が所定の期間の再生のためのオーディオデータを含み、前記ブロックの各々が当該ブロックにおける前記オーディオ単位に関する情報を含むような記憶媒体において、
１つのブロック内に１以上のオーディオパケットをはめ込むように、前記オーディオ単位が前記ブロックの大きさ以下の大きさを持つ連続した一様でない大きさのオーディオパケットに分割され、これらオーディオパケットは前記ブロックにわたって分散され、各ブロックにおいては前記ブロックヘッダに当該ブロック内の各オーディオパケットの大きさに関する情報が含まれ、該ブロックヘッダが、当該ブロック内に少なくとも１つのオーディオ単位の開始点が存在するか又はオーディオ単位の開始点が存在しないかに関しての当該ブロックの実際の内容を示すような記憶媒体。
【請求項１１】
前記ブロックヘッダが、当該ブロック内にオーディオ単位の開始点が存在するかを示すための論理標識“non_audio_unit_start”を有していることを特徴とする請求項１０に記載の記憶媒体。
【請求項１２】
前記ブロックヘッダが、当該ブロックにおけるオーディオ単位の開始点の数の指示情報を有することを特徴とする請求項１０に記載の記憶媒体。
【請求項１３】
前記ブロックヘッダが、オーディオパケットにおけるオーディオ単位の開始点の存在を示す論理標識“packet_audio_unit_start”を有していることを特徴とする請求項１０又は請求項１１に記載の記憶媒体。
【請求項１４】
前記ブロックヘッダが、次に続くオーディオ単位の開始点を含むブロックを指し示すことを特徴とする請求項１０に記載の記憶媒体。
【請求項１５】
前記ブロックヘッダが、各オーディオ単位に関して対応するデータ型式を示すことを特徴とする請求項１０に記載の記憶媒体。
【請求項１６】
前記ブロックヘッダが特定のオーディオ単位の開始点の情報を含み、該ブロックヘッダが該特定のオーディオ単位の時間コードを特定することを特徴とする請求項１０に記載の記憶媒体。
【請求項１７】
前記ブロックにわたって補足データ単位及び／又は詰め物単位が分散されていることを特徴とする請求項１０に記載の記憶媒体。
【請求項１８】
当該記憶媒体が光学的に読み取り可能な型式ものであることを特徴とする請求項１０に記載の記憶媒体。
【請求項１９】
請求項１０に記載の記憶媒体からオーディオ情報を再生する装置であって、
前記一連の一様な大きさのブロックを読み取る読取手段と、
１以上の前記ブロックヘッダを選択するデータ選択手段と、
これらブロックヘッダを用いて前記ブロックからのオーディオ単位を組み立てる組立手段と、
を有するような装置において、
前記データ選択手段が、当該ブロックにおけるオーディオパケットの位置を、当該ブロックのブロックヘッダに示される該ブロック内の各オーディオパケットに対する前記パケットの大きさに関する情報及び該ブロック内に少なくとも１つのオーディオ単位の開始点が存在するか又はオーディオ単位の開始点が存在しないかに関する該ブロックの実際の内容を用いて決定するように構成され、
前記組立手段が、上記決定結果に基づいて、前記オーディオパケットからオーディオ単位を組み立てるように構成されている、
ことを特徴とする装置。
【請求項２０】
前記データ選択手段が、当該ブロック内にオーディオ単位の開始点が存在するかを、当該ブロックヘッダ内にある論理標識“non_audio_unit_start”を用いて決定することを特徴とする請求項１９に記載の装置。
【請求項２１】
前記データ選択手段が、当該ブロック内にオーディオ単位の開始点が存在するかを、当該ブロックヘッダにおける該ブロック内のオーディオ単位の開始点の数の指示情報を用いて決定することを特徴とする請求項１９に記載の装置。
【請求項２２】
前記データ選択手段が、オーディオパケットにおけるオーディオ単位の開始点の存在を、当該ブロックヘッダ内にある論理標識
“packet_audio_unit_start”を用いて決定することを特徴とする請求項２０又は請求項２１に記載の装置。
【請求項２３】
前記データ選択手段が、次に続くオーディオ単位を、当該ブロックヘッダにおける次に続くオーディオ単位の開始点を含むブロックを指し示すポインタを用いて検出することを特徴とする請求項１９に記載の装置。
【請求項２４】
前記データ選択手段が、所定量の時間によるジャンプを実行するために、当該ブロックヘッダに含まれる特定のオーディオ単位の時間コードを選択することを特徴とする請求項１９に記載の装置。
【請求項２５】
サンプルされたデジタルオーディオ情報を、一連の一様な大きさのブロックに区分された記憶媒体上に記録する装置であって、
前記オーディオ情報をサンプルするサンプリング手段と、
前記サンプルされたオーディオ情報を可変レートで符号化する符号化手段と、
前記符号化されたオーディオ情報を各々が所定の期間の再生のためのオーディオデータを含むような連続した一様でない大きさのオーディオ単位に配列すると共に、各ブロック内の前記オーディオ単位に関する情報を含むブロックヘッダを発生するフォーマット手段と、
前記ブロックの各々に、前記オーディオ単位及び前記ブロックヘッダを書き込む書込手段と、
を有するような装置において、
前記フォーマット手段が、１つのブロック内に１以上のオーディオパケットをはめ込むように前記オーディオ単位を前記ブロックの大きさ以下の大きさを持つ連続した一様でない大きさのオーディオパケットに分割すると共に、前記オーディオパケットを前記ブロックにわたって分散させ、且つ、前記ブロックヘッダを当該ブロック内の各オーディオパケットの大きさに関する情報及び当該ブロック内に少なくとも１つのオーディオ単位の開始点が存在するか又はオーディオ単位の開始点が存在しないかに関する当該ブロックの実際の内容を含むように発生することを特徴とする装置。
【請求項２６】
前記フォーマット手段が、オーディオ単位の開始点を含むブロックのブロックヘッダに対して論理標識“non_audio_unit_start”を発生することを特徴とする請求項２５に記載の装置。
【請求項２７】
前記フォーマット手段が、当該ブロックのブロックヘッダに対してオーディオ単位の開始点の数を発生することを特徴とする請求項２５に記載の装置。
【請求項２８】
前記フォーマット手段が、オーディオ単位の開始点を含むブロックのブロックヘッダに対して論理標識“packet_audio_unit_start”を発生することを特徴とする請求項２６又は請求項２７に記載の装置。
【請求項２９】
前記フォーマット手段が、特定のオーディオ単位の開始点を含むブロックのブロックヘッダに対して該オーディオ単位の時間コードを発生し、該時間コードを該ブロックヘッダに記憶することを特徴とする請求項２５に記載の装置。
【発明の詳細な説明】
技術分野
本発明は請求項１の前置部に記載したような方法に関する。
背景技術
デジタルオーディオの符号化の現状技術は、周知のコンパクトディスクシステム及びその派生物である。記憶技術及びオーディオ符号化技術の進歩は、標準のＣＤ寸法に従うような単体媒体上におけるオーディオ情報の量を増加させることを可能にした。注目すべき機能は可変レート符号化であるが、該符号化は一連のオーディオ単位の後続の読み出しアクセスのための容易にアクセス可能な標識構造を必要とする。
発明の開示
結果として、本発明の目的は、なかでも、読取装置が種々の記憶ブロック又は記憶セクタ上に分散されているかもしれないオーディオ単位に関する全ての情報を直裁的に再生することを可能にすることにある。したがって、本発明の特徴の１つによれば、本発明は請求項１の特徴部分に記載されているように特徴付けられる。
また、本発明は斯かる方法を実施することにより作製される単体記憶媒体、及びそのように作製された単体記憶媒体を読み取る読取装置にも関する。本発明の他の有利な特徴は従属請求項に記載されている。
【図面の簡単な説明】
以下、本発明の上記及び他の特徴及び作用効果を、好ましい実施例の開示を参照して、及び特に添付部面を参照して説明するが、添付図面において、
第１ａ図及び第１ｂ図は、記録担体を示し、
第２図は、再生装置を示し、
第３図は、記録装置を示し、
第４図は、線形な物理的記憶空間を示し、
表１は、本発明による記憶フォーマットを示し、
表２は、オーディオストリームの構文を示し、
表３は、ヘッダのフォーマットを示し、
表４は、データ形式（data_type）の仕様リストを示し、
表５は、オーディオブロックのヘッダの構文を示し、
表６は、パケット情報の構文を示し、
表７は、他のデータ形式の定義を示している。
発明を実施するための最良の形態
第１ａ図は、トラック１９及び中央孔１０を備えるディスク状記録担体１１を示している。トラック１９は、情報層上に略平行なトラックを形成する螺旋状の巻回パターンの形で配されている。該担体は記録可能な又は予め記録された情報層を備える光ディスクとすることができる。記録可能なディスクの例はＣＤ−Ｒ、ＣＤ−ＲＷ及びＤＶＤ−ＲＡＭであり、オーディオＣＤは予め記録されたディスクである。予め記録されたディスクは、先ずマスタディスクを記録し、次いで消費者用ディスクをプレスすることにより製造することができる。記録可能な記録担体上のトラック１９は、ブランク記録ディスクの製造の間に予めエンボス加工されたトラック構造を設けることにより示される。該トラックは、走査の間に読取／書込ヘッドが上記トラック１９を追従するのを可能にする事前溝（プリグルーブ）１４として構成することができる。情報は、上記情報層上で上記トラックに沿う光学的に検出可能なマーク、例えばピット及びランド、により記録される。
第１ｂ図は記録可能な記録担体１１のｂ−ｂ線に沿う断面図であり、この場合、透明な基板１５が記録層１６及び保護層１７を担持している。プリグルーブ１４は凹部、凸部又は周囲とは異なる特性として設けることができる。
使用者の便利のために、上記記録担体上のオーディオ情報は項目に副分割され、該項目は、普通、例えばアルバム上の歌又は交響楽の楽章のように、数分の期間を有している。通常、該記録担体は、所謂内容テーブル（ＴＯＣ）におけるような又はＣＤ−ＲＯＭ用のＩＳＯ9960等のファイルシステムに含まれるような、上記項目を識別するためのアクセス情報も有している。該アクセス情報は、各項目の再生時間及び開始アドレスを含むことができると共に、歌の題名のような他の情報も含むことができる。
上記オーディオ情報は、アナログ／デジタル（Ａ／Ｄ）変換の後、デジタル表現で記録される。Ａ／Ｄ変換の例は、ＣＤオーディオから既知の４４．１ｋＨｚでのサンプル当たり１６ビットのＰＣＭ、及びビットストリームと呼ばれる例えば６４ｘＦｓのような高いオーバーサンプリングレートでの１ビットシグマデルタ変調である。後者の方法は、高い品質の復号と低い品質の復号との間での選択を伴う高品質な符号化方法を代表し、後者は単純な復号回路を可能にする。この点に関しては、J.J. van der Kamによる「ハイファイオーディオ信号のアナログ／デジタル変換用デジタルデシメーティングフィルタ」なる文献（巻末の文献Ｄ５）及びKirk C.H. Chao他による「オーバーサンプリングＡ／Ｄ変換器の補間式変調器用の高次トポロジ」（文献Ｄ６）を参照されたい。Ａ／Ｄ変換の後、デジタルオーディオは上記情報層上に記録するための可変ビットレートのオーディオデータに圧縮される。該圧縮されたオーディオデータは、上記オーディオ情報を連続して再生する際に伸張後に略元の時間軸が回復されるような速度で当該記録担体から読み出される。かくして、上記の圧縮されたデータは、上記の変化するビットレートに依存した速度で記録担体から取り出されねばならない。該データは記録担体から所謂伝送速度で、即ちデータバイトを当該記録担体から伸張器へ伝送する速度で、取り出される。該記録担体は、単位領域当たり最高のデータ記憶容量を持つ一様な空間データ密度を有しているかも知れない。斯様なシステムにおいては、上記伝送速度は当該媒体と読取／書込ヘッドとの間の相対線速度に比例したものとなる。上記伸張器の前にバッファが設けられる場合は、実際の伝送速度は該バッファの前の速度である。
第２図は、第１図に示した形式の記録担体１１を読み取るための本発明による再生装置を示している。該装置は、記録担体１１を回転させるための駆動手段２１と、該記録担体のトラックを走査するための読取ヘッド２２とを有している。位置決め手段２５は、読取ヘッド２２の粗い半径方向位置決めを実施する。上記読取ヘッドはビーム２４を発生する放射源を備える既知の光学系を有し、該ビームは光学素子を介して案内されて、情報層トラック上のスポット２３に収束される。該読取ヘッドは、更に、照射２４の焦点を上記ビームの光軸に沿って移動させる焦点アクチュエータと、スポット２３を半径方向において当該トラックの中心上に精密に位置決めさせるトラッキングアクチュエータとを有してる。該トラッキングアクチュエータは、光学素子を移動させるコイルを有するか、又は反射素子の角度を変えるように構成されてもよい。上記情報層により反射された照射は、読取ヘッド２２内の例えば四分割ダイオードのような既知の検出器により検出され、これにより読取信号、並びに上記トラッキングアクチュエータ及び焦点アクチュエータ用のトラッキングエラー信号及び集束エラー信号を各々含む他の検出器信号を発生する。上記読取信号は読取手段２７により処理されて前記データを取り出すが、該読取手段は例えばチャンネルデコーダ及びエラー訂正器を有するような通常の型式のものである。上記の取り出されたデータはデータ選択手段２８に伝達され、バッファ２９に渡すための圧縮されたオーディオデータを選択する。該選択は、該記録担体上に記録されたデータ型式標識、例えばフレーム化されたフォーマットのヘッダ、に基づく。上記の圧縮されたオーディオデータは、信号３０としてバッファ２９から伸張器３１に受け渡される。この信号は、外部伸張器にも出力することができる。伸張器３１は、上記の圧縮されたオーディオデータを復号して出力端３２上に元のオーディオ情報を再生する。該伸張器は、第２図に点線の長方形３３により示すように、例えば独立した高品質オーディオデジタル／アナログ変換器（Ｄ／Ａ変換器）に別途組み込むこともできる。他の例として、前記バッファは上記データ選択手段の前に配置することもできる。バッファ２９は、別の筐体内に配置することもでき、又は上記伸張器内のバッファと組み合わせることもできる。当該装置は、更に、ユーザ又は図示せぬホストコンピュータから制御命令を入力する制御ユニット２０も有し、該ユニットはシステムバスのような制御ライン２６を介して駆動手段２１、位置決め手段２５、読取手段２７及びデータ選択手段２８並びにバッファの充填レベル制御のために多分バッファ２９にも接続される。この目的のため、制御ユニット２０は、以下に記載する処理を実行するためにマイクロプロセッサのような制御回路、プログラムメモリ及び制御ゲートを有することができる。制御ユニット２０は、論理回路の状態マシンとして構成することもできる。
好適な型式のオーディオ圧縮及び伸張が知られている。オーディオは、当該信号内の相関の解析によりデジタル化し、特定の大きさの断片用のパラメータを生成した後に、圧縮することができる。伸張の間には、元の信号を再構築するために逆の処理が使用される。元のデジタル化された信号が正確に再構築される場合は該圧縮（伸張）は無損失と呼ばれるが、損失のある圧縮（伸張）は元の信号のうちの或る詳細部分は再生しないであろうが、これらは人の耳又は目によっては実質的に検出することはできない。オーディオ及びビデオ用のＤＣＣ又はＭＰＥＧのような殆どの既知のシステムは、損失のある圧縮を用いているが、コンピュータのデータを記憶するには無損失の圧縮が使用されている。オーディオ圧縮及び伸張の例が巻末の文献Ｄ２、Ｄ３及びＤ４に見られるが、これらのうち特に文献Ｄ２の無損失圧縮が高品質オーディオに好適である。
データ選択手段２８は、記録の間に追加された全ての詰め物データを廃棄する。制御ユニット２０が記録担体からオーディオの或る項目を再生するよう指令された場合、位置決め手段２５は前記読取ヘッドをＴＯＣを含むトラックの部分に位置決めするよう制御される。次いで、該項目の開始アドレスが該ＴＯＣからデータ選択手段２８を介して取り出される。他の例として、ディスクが当該装置に挿入された際にＴＯＣの内容が一度だけ読み取られ、メモリに記憶されるようにすることもできる。上記項目を再生するために、駆動手段２１は当該記録ディスクを適切な速度で回転するよう制御される。所要の回転レートは該駆動手段に設定するために、そのように指定することができる。他の例として、回転レートは、対応する再生期間を示すためにオーディオデータと共に記憶された時間コードを介して調整することもできる。
バッファのアンダーフロー又はオーバーフロー無しで連続した再生を得るために、前記伝送レートは前記Ｄ／Ａ変換器の再生速度、即ち伸張後のビットレート、に結び付けられる。この目的のため、当該装置は上記伸張器を制御する基準周波数源を有することができ、前記回転レートは該基準周波数及び速度プロファイルに応じて設定することができる。他の例として、又は追加として、該回転レートはバッファ２９の平均充填レベルを用いて、例えば上記バッファが平均して５０％を越えて満たされている場合は該回転レートを減少させることにより、調整することができる。
第３図は、（再）書込可能型の記録担体１１上に本発明により情報を書き込む記録装置を示している。書込動作の間に、該情報を表すマークが上記記録担体上に形成される。これらマークは、例えば、色素、合金又は相変化のような材料に記録することにより周囲とは異なる反射係数を持つ領域の形態、又は光磁気材料に記録する場合に周囲とは異なる磁化方向を持つ領域の形態のような、何らかの光学的に読取可能な形態のものとすることができる。光学ディスク上の記録のための情報の書き込み及び読み出し、並びにフォーマッティング、エラー訂正及びチャンネル符号化に関して使用可能な規則は、例えばＣＤシステムから既知である。マークは、通常レーザダイオードからの電磁放射のビーム２４を介して記録層上に発生されるスポット２３により形成することができる。当該記録装置は第２図を参照して記載したのと同様の基本的な要素、即ち制御ユニット２０、駆動手段２１及び位置決め手段２５を有しているが、該記録装置は特有な書込ヘッド３９を有している。オーディオ情報は圧縮手段３５の入力端子に供給されるが、該手段は別個の筐体内に配置することもできる。好適な圧縮は文献Ｄ２、Ｄ３及びＤ４に記載されている。該圧縮手段３５の出力端子上の可変ビットレートで圧縮されたオーディオはバッファ３６に供給される。該バッファ３６から、上記データは、詰め物データ及び他の制御データを追加するためのデータ合成手段３７に渡される。合計のデータストリームは、記録のために書込手段３８に供給される。書込ヘッド３９が、該書込手段３８に結合され、該手段は、例えば、フォーマッタ、エラーエンコーダ及びチャンネルエンコーダを有する。書込手段３８の入力端子に供給されたデータは、フォーマッティング及び符号化規則に従って論理及び物理的セクタ上に分散され、書込ヘッド３９用の書込信号に変換される。ユニット２０は、バッファ３６、データ合成手段３７及び書込手段３８を制御ライン２６を介して制御すると共に、前記読取装置に関して前述したような位置決め処理を実行するように構成されている。他の例として、当該記録装置は、前記再生装置の機能と組合せ書込／読取ヘッドとを有して読取を行うようにも構成することができる。
第４図は、線形な物理的記憶空間の配置である。上側の線５０は、オーディオストリームの所謂オーディオ単位への分散を示している。これらオーディオ単位に関しては、アナログオーディオは、コンパクトディスクの標準サンプリング周波数である４４．１ｋＨｚの倍数で１ビット信号を生成するようサンプルすることができる。上記倍数が６４倍である場合は、ステレオ品質のものは約５．６Ｍビット／秒のデータレートを必要とする。無損失オーディオ符号化を介して約２なる係数だけ記憶密度を上昇させる一層厳格なフォーマットが得られるが、第４図に示すように、これは互いに一様でない大きさを持ち得るようなオーディオ単位Ｎ−１ないしＮ＋２を生成するであろう。一方、ディスク若しくはテープのような単体媒体上での記憶、又は物理的伝送媒体を介しての伝送は、好ましくは、互いに一様な寸法を持つ区画に編成されるとよく、これが線５４上にブロック又はセクタＭ−１ないしＭ＋４により示されている。これらブロックへの高速アクセスを可能にするために、各ブロックはヘッダｈを有し、該ヘッダは読み取りの間に当該オーディオストリームを解析する必要性を不要にする。ブロックＭ及びＭ＋１のような種々のブロックは、この場合はオーディオ単位Ｎのような単一のオーディオ単位のみからのオーディオパケットを含む。しかしながら、最大の記憶密度は、図示のように、パケットＮ−１，１及びＮ，０をブロックＭに結合し、パケットＮ，３、Ｎ＋１，０及びＮ＋２，０をブロックＭ＋３に結合するというように、種々のオーディオパケットを単一の記憶ブロックに結合することにより、得られる。図においては、線５２上に示すパケットは、第１インデックスとして当該オーディオ単位の番号を、及び第２インデックスとして当該オーディオブロック内での番号（零から始まる）を有する。図示のように、パケットは或る最大寸法を有しているので、一つのパケットは常に単一の標準の大きさのブロック内にはまる。一方、パケットの最小寸法は、ブロック当たりの記憶の適用可能な細分レベルにまで低下する。オーディオ単位当たりのパケット数は、オーディオ単位の最大寸法のみにより決まる上限を有している。
表１は、第４図に示したものと同様の構成の本発明による記憶フォーマットを示している。ここで、各欄は単一のブロックＭないしＭ＋４に関するものである。各ブロックは、一様でない大きさを持ち得るヘッダ領域で開始する。更に、各ブロックは、互いに一様でない大きさを持ち得る整数個のパケットを含んでいる。オーディオ単位に加えて、該記憶には特定のオーディオ単位に対する付属として１以上の補足データ単位、及び特定のオーディオ単位に対する他の付属として１以上の当て物又は詰め物単位を含むことができる。詰め物はビットレートを一定にすると共に、適切なバッファ充填程度を維持するためのダミーデータを表す。補足データは、サブコードのような任意のレイヤの機能に関係したものとすることができる。
オーディオ単位又はフレームは、特定のブロック内の如何なる位置においても開始することができる。オーディオ単位はブロックの縁を越えることができ、本実施例においては、オーディオ単位は、概ね、１ブロックよりも大きい。しかしながら、オーディオ単位は、単一のブロック内にはまる程、短くてもよい。従って、単一のブロックは複数のオーディオ単位の開始点を含むことができる。一つのフレームは再生時のオーディオの実際の期間、即ち１秒の１／７５、に関係する。オーディオの次に、フレームはそのオーディオに関係する種々の情報を含む。セクタも整数個のパケットを有する。
表２は、既知のコンピュータ言語Ｃにより書かれた本発明によるオーディオストリームの構文を示している。最初の部分は、オーディオブロック番号０〜Ｎのループ指定を含むオーディオ多重ストリーム（Audio Mux Stream）に関するものである。該開示において、Ｎは任意のパラメータを示すことに注意されたい。当該ブロックのビット数（右側の欄）はブロック長により定義される。該表の第２の部分もＣで記載されており、オーディオブロックヘッダ及びパケット番号０〜Ｎのループ指定を含む単一のオーディオブロックに関するものである。当該パケットのビット数は、該パケットの長さにより定義される。記載されているように、データは複数のデータ型式のうちの１つを持つことができる。
表３は、これもＣで書かれた、本発明の好ましいが例示的な実施例のヘッダフォーマットを示している。種々の部分のビットの数は、右側の欄に定義されている。最初のビットは、当該ブロックがオーディオ単位の開始点を含むかを示している。肯定なら、続く４８ビットは該オーディオ単位の種々のパラメータ、即ち、該オーディオ単位の有効な開始を示す単一のビット、予め規定された時間量のジャンプのような機能を果たすために読取装置により使用するための３０ビットのタイムコード、を特定する。該ヘッダの第２の部分は常に存在する。該部分は、先ず、次のオーディオ単位への論理ジャンプを可能にするために、次のオーディオ単位が開始するまでの、１５までのブロックの数で測定される距離を特定する。各単位は単一の時間コードに連結されるか、又はその逆である。機能的に、当該記憶はオーディオ単位、当て物単位及び補足データ単位の間で多重化することができる。
結果として、特定の単位に進むことは、ディスクのような記憶媒体の連続した駆動動作を介して、該次の単位の記憶領域の部分まで所定の期間だけ待つことにより単純に実行される。しばしば、この過程は交差トラックジャンプがスピードアップするが、何らかの理由により斯かる交差トラックジャンプが許されない場合でさえも当てはまる。更に、ヘッダは３ビットにより当該ブロック内のパケットの数を特定する。次に、斯かるパケットの各々に対して、５ビットによる当該パケットのデータ型式（data_type）の及び１１ビットでの該パケットの長さのループ指定がある。従って、パケットの数は当該ヘッダの長さに関しても共同決定している。通常、２つのレベルのアドレス指定構成が存在する。即ち、先ず次の単位の標識（next-unit_indicator）を介して正しいセクタ又はブロックがアドレス指定される。次いで、１以上のパケットの長さを通知することによるような、当該アドレスを示す局部ブロックヘッダにより、局部アドレス指定が実行される。
表４は、表３により示された５ビットによるデータ型式の指定を示している。３２個の組合せのうちの種々のものが確保されている。５つのものが種々の符号化型式を特定するために使用されている。１つはＣＤテキストの発生を示している。残りのものは将来のために確保されている。
表５はオーディオブロックのヘッダの構文を示している。種々の項目の名称、ビット数、フォーマット及び、当てはまれば、それらの値が示されている。フレーム情報は時間コードを含むことができる。表３の次の単位の標識が抑圧されていることに注意されたい。
表６はパケット情報の構文を示している。種々の項目の名称、ビットでの長さ、フォーマット及び、当てはまれば、それらの値が示されている。
表７は、表４とは異なり、別のデータ型式の定義を示している。この場合、種々の型式のオーディオパケットは該当する領域ＴＯＣ（area_TOC）で定義することができる。ＣＤテキストが補足データパケットに対応していることに注意されたい。
関連文献
（Ｄ１）研究公開番号３６４１１
１９９４年８月、第４１２〜４１３頁。
（Ｄ２）ＰＣＴ／ＩＢ９７／０１１５６（ＰＨＮ１６．４５２）
１ビットＡＤＣ及びオーディオの無損失圧縮。
（Ｄ３）ＰＣＴ／ＩＢ９７／０１３０３（ＰＨＮ１６．４０５）
オーディオ圧縮器。
（Ｄ４）ヨーロッパ特許出願公開第EP-A 402,973号（ＰＨＮ１３．２４１）
オーディオ圧縮。
（Ｄ５）１９８６年４月のフィリップス技術レビュー、４２巻、６／７号、第２３０〜２３８頁のJ.J. van der Kamによる「ハイファイオーディオ信号のアナログ／デジタル変換用のデジタルデシメーティングフィルタ」。
（Ｄ６）１９９０年３月の回路及びシステムに関するＩＥＥＥ論文集、第３７巻、第３号、第３０９〜３１８頁のKirk C.H. Chao他による「オーバーサンプリングＡ／Ｄ変換器の補間式変調器用の高次トポロジ」。
0004060379.tif 000002
0004060379.tif 000003
0004060379.tif 000004
0004060379.tif 000005
0004060379.tif 000006
0004060379.tif 000007
0004060379.tif 000008
【図１ａ】
0004060379.tif 000009
【図１ｂ】
0004060379.tif 000010
【図４】
0004060379.tif 000011
【図２】
0004060379.tif 000012
【図３】
0004060379.tif 000013